(57)【要約】【課題】端末のネットワーク利用状況を常時監視することなく、端末が使用可能な帯域をネットワークトポロジやリンク種別に応じてきめ細かく柔軟に設定するという課題を解決する。【解決手段】本発明の帯域割当装置は、自装置と接続されるエンド端末と自装置との間のリンク種別の情報を含むネットワークトポロジ情報、及び、エンド端末と自装置との間の帯域情報に基づいて、リンク種別毎に、割当可能な帯域を示す第１の基準値を決定する第１の基準値決定ユニットを備える。【選択図】図１
2012028866.tif 000002
【特許請求の範囲】
【請求項１】
自装置と接続されるエンド端末と自装置との間のリンク種別の情報を含むネットワークトポロジ情報、及び、前記エンド端末と自装置との間の帯域情報に基づいて、前記リンク種別毎に、割当可能な帯域を示す第１の基準値を決定する第１の基準値決定ユニットを備える帯域割当装置。
【請求項２】
前記第１の基準値決定ユニットは、
前記エンド端末毎に設定される優先セッション情報が入力され前記入力された前記優先セッション情報を前記第１の基準値決定ユニットに通知する優先セッション指定ユニットから通知された前記優先セッション情報に基づいて、前記第１の基準値を決定する、請求項１に記載された帯域割当装置。
【請求項３】
前記第１の基準値決定ユニットは、
同一の前記リンク種別に含まれる前記エンド端末に前記優先セッションが設定されたエンド端末が存在せず、かつ、前記同一のリンク種別に含まれる前記エンド端末間の帯域の最大値と最小値との差が所定の許容幅の範囲内にある場合は、前記帯域情報が最小となったエンド端末の前記帯域情報を前記リンク種別における前記第１の基準値とする、請求項１又は２に記載された帯域割当装置。
【請求項４】
前記第１の基準値決定ユニットは、
同一の前記リンク種別に含まれる前記エンド端末に前記優先セッションが設定されたエンド端末が存在せず、かつ、同一の前記リンク種別に含まれる前記エンド端末間の帯域の最大値と最小値との差が所定の許容幅を越えている場合は、前記帯域情報が最小となったエンド端末以外のエンド端末の前記帯域情報を前記リンク種別における前記第１の基準値とする、請求項１又は２に記載された帯域割当装置。
【請求項５】
前記第１の基準値決定ユニットは、
同一の前記リンク種別に含まれる前記エンド端末に前記優先セッションが設定されたエンド端末が存在する場合は、前記優先セッションが設定されたエンド端末のうち前記帯域情報が最小となったエンド端末の前記帯域情報を前記リンク種別における前記第１の基準値とする、請求項１又は２に記載された帯域割当装置。
【請求項６】
前記エンド端末が接続される通信装置が属するネットワークとの間で設定されている所定の帯域から、前記エンド端末毎に設定される優先セッションで必要とされる帯域を減算して、自装置と前記第２のネットワークとの間における割当可能な帯域を示す第２の基準値を決定する第２の基準値決定ユニットをさらに備える、
請求項１乃至５のいずれかに記載された帯域割当装置。
【請求項７】
前記第２の基準値決定ユニットは、
前記セッションが構築される際に、前記構築されるセッションが利用する前記リンク種別に対応する前記第１の基準値及び前記第２の基準値から、前記セッションが要求する帯域の値をそれぞれ減算し、前記第１の基準値又は前記第２の基準値のいずれかがゼロか所定の値以下の値とならない限り前記セッションの構築を受け付ける、請求項６に記載された帯域割当装置。
【請求項８】
請求項６又は７に記載された帯域割当装置と、
通信装置と、
帯域測定クライアント及びトポロジ検出ユニットを備えるエンド端末と、
優先セッション情報が入力され、入力された前記優先セッション情報を前記帯域割当装置に通知する優先セッション指定ユニットと、を備え、
前記エンド端末及び前記優先セッション指定ユニットは、前記帯域割当装置に接続され、
前記エンド端末は、前記帯域割当装置を経由して前記通信装置との間でセッションを構築する、帯域割当システム。
【請求項９】
自装置と接続されるエンド端末と自装置との間のリンク種別の情報を含むネットワークトポロジ情報、及び、前記エンド端末と自装置との間の帯域情報に基づいて、前記リンク種別毎に、割当可能な帯域を示す第１の基準値を決定する、帯域割当方法。
【請求項１０】
帯域割当装置のコンピュータを、
自装置と接続されるエンド端末と自装置との間のリンク種別の情報を含むネットワークトポロジ情報、及び、前記エンド端末と自装置との間の帯域情報に基づいて、前記リンク種別毎に、割当可能な帯域を示す第１の基準値を決定する手段として機能させる、帯域割当装置のプログラム。
【発明の詳細な説明】
【技術分野】
【０００１】
本願発明は、ネットワーク内に配置されたエンド端末に対して、帯域を保証した通信サービスを提供する帯域割当装置、帯域割当方法、帯域割当システム及び帯域割当装置のプログラムに関する。
【背景技術】
【０００２】
近年、ＮＧＮ（ｎｅｘｔ  ｇｅｎｅｒａｔｉｏｎ  ｎｅｔｗｏｒｋ）などの次世代通信網においては網側のＱｏＳ（ｑｕａｌｉｔｙ  ｏｆ  ｓｅｒｖｉｃｅ）を保証する技術が標準化されてきている。しかし、家庭内に構築されたホームネットワーク等の、エンド端末が接続されるネットワーク内におけるＱｏＳを確保する仕組みは、十分に検討されていない。
【０００３】
ホームネットワーク内でＱｏＳを確保するためには、優先制御や帯域制御を実現するための手段が必要となる。しかし、これらのいずれか、あるいは両方の手法を用いる場合でも、ブロードバンドルータにおいてセッション構築時にセッションを識別し、伝送路の帯域に応じてホームネットワーク宛の受付セッション数を制限する仕組みが必要である。この仕組みは、ＡＣ（ａｄｍｉｓｓｉｏｎ  ｃｏｎｔｒｏｌ）と呼ばれる。
【０００４】
ここで、ブロードバンドルータは、ＬＡＮ（ｌｏｃａｌ  ａｒｅａ  ｎｅｔｗｏｒｋ）とＷＡＮ（ｗｉｄｅ  ａｒｅａ  ｎｅｔｗｏｒｋ）との間に設置される機器である。ブロードバンドルータは、ＬＡＮとＷＡＮとを相互に接続する機能を備える。そして、ブロードバンドルータは、携帯端末にも搭載されつつある。
【０００５】
このような、ブロードバンドルータのような上位装置に複数の端末が接続された構成において、上位装置と端末との間の帯域保証を行う技術が特許文献１及び特許文献２に記載されている。
【０００６】
特許文献１においては、上位装置は、上位装置に接続された複数台の端末に対して、最初は上位回線帯域を等分して分配する。そして、上位装置は、端末の最大回線速度が、上位装置から分配された帯域を下回る場合に、余分となった回線容量を他の端末に振り向ける。
【０００７】
特許文献２は、上位装置に接続された複数の端末に対し、常時利用可能な帯域があらかじめ予約されている構成を記載している。そして、端末がネットワークを利用しない場合には、予約された帯域は上位装置に返却される。さらに、端末は、広い帯域が必要な場合にはこの最小帯域に加え、他の装置が返却した帯域を上位装置に要求する。
【先行技術文献】
【特許文献】
【０００８】
【特許文献１】特開２００７−２２８３１２
【特許文献２】特開２０００−２６１４３５
【発明の概要】
【発明が解決しようとする課題】
【０００９】
ＷＡＮ側からのパケットはブロードバンドルータを接続点としてホームネットワークに到着する。到着したパケットは、Ｅｔｈｅｒｎｅｔ（登録商標）ハブやＥｔｈｅｒｎｅｔスイッチあるいは無線ＬＡＮアクセスポイント等を経由してエンド端末まで到達する。このため、ブロードバンドルータとエンド端末との間のネットワークトポロジ、リンク種別あるいは伝送帯域はエンド端末毎に大きく異なっている。従って、ブロードバンドルータは、ホームネットワークにおいて効率のよい帯域制御を行うためには、ネットワークトポロジ、リンク種別及び伝送帯域の情報に基づいてエンド端末の利用可能な実効帯域を知り、エンド端末が使用可能な帯域をネットワークトポロジやリンク種別に応じて柔軟に設定可能であることが求められている。
【００１０】
しかしながら、特許文献１及び特許文献２は、端末が使用可能な帯域をネットワークトポロジやリンク種別に応じてきめ細かく柔軟に設定するための構成を開示していない。また、特許文献１及び特許文献２に記載された構成は、端末のネットワーク利用状況を常時監視する必要がある。このため、特許文献１及び特許文献２に記載された構成は、上位装置の構成が複雑となり機器の価格が上昇するという課題がある。
［発明の目的］
本発明の目的は、端末のネットワーク利用状況を常時監視することなく、端末が使用可能な帯域をネットワークトポロジやリンク種別に応じてきめ細かく柔軟に設定するという課題を解決するための技術を提供することにある。
【課題を解決するための手段】
【００１１】
本願発明の帯域割当装置は、自装置と接続されるエンド端末と自装置との間のリンク種別の情報を含むネットワークトポロジ情報、及び、エンド端末と自装置との間の帯域情報に基づいて、リンク種別毎に、割当可能な帯域を示す第１の基準値を決定する第１の基準値決定ユニットを備える。
【００１２】
本願発明の帯域割当方法は、自装置と接続されるエンド端末と自装置との間のリンク種別の情報を含むネットワークトポロジ情報、及び、エンド端末と自装置との間の帯域情報に基づいて、リンク種別毎に、割当可能な帯域を示す第１の基準値を決定する。
【００１３】
本願発明の帯域割当装置のプログラムは、帯域割当装置のコンピュータを、自装置と接続されるエンド端末と自装置との間のリンク種別の情報を含むネットワークトポロジ情報、及び、エンド端末と自装置との間の帯域情報に基づいて、リンク種別毎に、割当可能な帯域を示す第１の基準値を決定する手段として機能させる。
【発明の効果】
【００１４】
本発明は、端末のネットワーク利用状況を常時監視することなく、端末が使用可能な帯域をネットワークトポロジやリンク種別に応じてきめ細かく柔軟に設定できるという効果を奏する。
【図面の簡単な説明】
【００１５】
【図１】本願発明の帯域割当システムの第１の実施形態の構成を示す図である。
【図２】第１の実施形態の帯域割当システムにおいて、ＬＡＮ内の詳細な構成を含めて示す図である。
【図３】エンド端末が、ＷＡＮ内の通信装置との間でユーザデータ通信を開始する手順を示す図である。
【図４】リンク別ＡＣ基準値表及び装置ＡＣ基準値表について説明するための図である。
【図５】第２の実施形態の帯域割当システムにおける、ＬＡＮ内の詳細な構成を示す図である。
【図６】第２の実施形態における、リンク別ＡＣ基準値表及び装置ＡＣ基準値表について説明するための図である。
【図７】本願発明の帯域割当システムの第３の実施形態の構成を示す図である。
【図８】第３の実施形態において、ホームネットワーク内の詳細な構成を含めて示す図である。
【図９】エンド端末が、ＷＡＮ内の通信装置との間でユーザデータ通信を開始する手順を示す図である。
【図１０】第４の実施形態において、ホームネットワーク５０内の詳細な構成を示す図である。
【図１１】本願発明の第５の実施形態である、帯域割当装置の構成を示す図である。
【発明を実施するための形態】
【００１６】
［第１の実施形態］
（構成の説明）
図１に本発明の帯域割当システムの第１の実施形態の構成を示す。通信装置４は、ＷＡＮ１２に配置され、エンド端末３との間でユーザデータ通信を行う。ＷＡＮ接続装置１は、ＷＡＮ１２とＬＡＮ１３との境界に配置される。ＷＡＮ１２内では、通信装置４とＷＡＮ接続装置１との間の回線の帯域は保証されているものとする。また、エンド端末３はＬＡＮ内に複数存在する。
【００１７】
ＷＡＮ接続装置１は、セッション管理ユニット５、装置ＡＣ基準値決定ユニット６、リンク別ＡＣ基準値決定ユニット７、帯域測定サーバ８及びトポロジ検出ユニット９を備える。セッション管理ユニット５は、エンド端末毎の優先セッションや帯域割当済みセッションを管理する。後に詳しく説明するように、リンク別ＡＣ基準値決定ユニット７は、全エンド端末のネットワークトポロジ（以下、「トポロジ」という。）および帯域情報を取得し、優先セッションの情報からリンク別ＡＣ基準値を決定する。そして、装置ＡＣ基準値決定ユニット６は、優先セッションに割り当てられる帯域をＷＡＮ  ＡＣ基準値から減算し、エンド端末毎のリンク別ＡＣ基準値と合わせて装置ＡＣ基準値を決定する。帯域測定サーバは、エンド端末の帯域測定クライアントとの間で帯域測定を行い、エンド端末３とＷＡＮ接続装置１との間の実効最大帯域を算出する。トポロジ検出ユニット９は、エンド端末３のトポロジ検出ユニット１１と通信を行い、エンド端末３とＷＡＮ接続装置１との間のトポロジを、一般的に使用されるトポロジ検出プロトコルを用いて取得する。
【００１８】
また、ＷＡＮ接続装置１は、ＣＰＵ（ｃｅｎｔｒａｌ  ｐｒｏｃｅｓｓｉｎｇ  ｕｎｉｔ）９０及びメモリ９１を備えていてもよい。そして、ＣＰＵ９０は、以下で説明するＷＡＮ接続装置１の各部の機能を、メモリ９１に格納されたプログラムを実行することにより実現させてもよい。メモリ９１は、ＣＰＵ９０のプログラムを格納するための記憶媒体である。メモリ９１は、例えば半導体メモリや光学的なデータ記憶装置により実現される。
【００１９】
優先セッション指定ユニット２及びエンド端末３は、ＬＡＮ１３内に配置される。優先セッション指定ユニット２は、ＷＡＮ接続装置１から各端末の帯域情報及びリンク別ＡＣ基準値表を受信して優先セッション情報をＷＡＮ接続装置１へ返信する。優先セッション指定ユニット２は、エンド端末３を含むＬＡＮ１３内のいずれかの通信端末中に実装されていてもよい。ＬＡＮ１３の管理者は、優先セッション指定ユニット２を操作して、ＷＡＮ接続装置１へ返信する優先セッション情報を設定する。
【００２０】
エンド端末３は、帯域測定クライアント１０及びトポロジ検出ユニット１１を備える。帯域測定クライアント１０は、ＷＡＮ接続装置１の帯域測定サーバ８との間の帯域測定を行い、実効最大帯域を算出する。トポロジ検出ユニット１１は、ＷＡＮ接続装置１のトポロジ検出ユニット１１と通信を行い、一般的に使用されるトポロジ検出プロトコルを用いてエンド端末３とＷＡＮ接続装置１との間のトポロジを取得する。
（動作の説明）
次に、第１の実施形態の帯域割当システムの動作について説明する。
【００２１】
図２は、第１の実施形態の帯域割当システムにおいて、ＬＡＮ内の詳細な構成を含めて示す図である。図２において、エンド端末Ａ２２〜エンド端末Ｅ２６は、図１のエンド端末３に相当する。すなわち、図２には図示されていないが、エンド端末Ａ２２〜エンド端末Ｅ２６は、図１における帯域測定クライアント１０とトポロジ検出ユニット１１とを備える。ＬＡＮ１３においては、エンド端末Ａ２２、エンド端末Ｂ２３及びエンド端末Ｃ２４は、無線基地局２８と無線接続３０により接続されている。また、エンド端末Ｄ２５及びエンド端末Ｅ２６は、有線接続２９によりＷＡＮ接続装置１と接続されている。以下では、これらの５台のエンド端末がＷＡＮ１２内の通信装置４との間でユーザデータ通信を開始する場合について説明する。
【００２２】
図３は、エンド端末Ａ２２〜エンド端末Ｅ２６が、ＷＡＮ１２内の通信装置４との間でユーザデータ通信を開始する手順を示す図である。エンド端末Ａ２２〜エンド端末Ｅ２６のトポロジ検出ユニットは、各エンド端末が起動された際に、ＷＡＮ接続装置１のトポロジ検出ユニットとの間でトポロジ検出プロトコルによる通信を行う。そして、これらのトポロジ検出ユニットは、相互に通信機器の接続構成を示すトポロジおよび使われているリンク種別の情報を取得する（ステップＳ１０１）。
【００２３】
トポロジ検出プロトコルとしては、ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ，  Ｉｎｃ，米国電気電子学会）で標準化されているＬＬＤＰ（ｌｉｎｋ  ｌａｙｅｒ  ｄｉｓｃｏｖｅｒｙ  ｐｒｏｔｏｃｏｌ）やＭｉｃｒｏｓｏｆｔ社が独自にＷｉｎｄｏｗｓ（登録商標）  ＯＳ（ｏｐｅｒａｔｉｏｎ  ｓｙｓｔｅｍ）に搭載しているＬＬＴＤ（ｌｉｎｋ  ｌａｙｅｒ  ｔｏｐｏｌｏｇｙ  ｄｉｓｃｏｖｅｒｙ）という技術がある。これらのトポロジ検出プロトコルは一般的に知られているので、ここではそれらの動作の説明は省略する。
【００２４】
また、各エンド端末の帯域測定クライアントは、ＷＡＮ接続装置１との間で双方向の実効最大帯域を測定する（ステップＳ１０２）。実効最大帯域の測定は、各エンド端末の帯域測定クライアントとＷＡＮ接続装置１の帯域測定サーバとの間における、パケットのラウンドトリップタイム測定によって行われる。エンド端末Ａ２２〜エンド端末Ｅ２６とＷＡＮ接続装置１との間でトポロジ及び回線の実効最大帯域が求められる結果、ＷＡＮ接続装置１は、全てのエンド端末との間のトポロジおよび実効最大帯域の情報を取得する（ステップＳ１０３）。
【００２５】
ここで、帯域測定の対象となるエンド端末のみを起動するとともに同一のリンクを使っている他のエンド端末を停止した状態で、帯域測定が行われてもよい。これにより、他のエンド端末の通信による影響が低減される結果、帯域測定の精度を高めることが可能である。さらに、帯域測定の対象となっているエンド端末において、処理負荷の大きいアプリケーションを停止した状態で帯域測定を行うことで、帯域測定の精度をより高めるようにしてもよい。
【００２６】
ＬＡＮ１３の管理者は、ＬＡＮ１３内にある優先セッション指定ユニット２を操作して、ＷＡＮ接続装置２１が取得した実効最大帯域集計情報を受信する。前述したように、優先セッション指定ユニット２は、エンド端末Ａ２２〜Ｅ２６のいずれかに備えられていてもよい。そして、ＬＡＮ１３の管理者は、事前に各エンド端末のユーザにヒアリングした利用用途を考慮した上で、それぞれのエンド端末が通信する際に優先されるセッションあるいは優先されるアプリケーションに基づいて、要求帯域、ＩＰアドレス、ポート番号等の情報を決定する。そして、ＬＡＮ１３の管理者は、決定した情報を優先セッション指定ユニット２からＷＡＮ接続装置１へ送信する（ステップＳ１０４）。
【００２７】
図４は、図２に示す構成のネットワークにおける、リンク別ＡＣ基準値表及び装置ＡＣ基準値表について説明するための図である。ＷＡＮ接続装置１は、まずリンク別ＡＣ基準値表を作成し、次にリンク別ＡＣ基準値表に基づいて装置ＡＣ基準値表を作成する。以下、リンク別ＡＣ基準値表と装置ＡＣ基準値表とをあわせて「ＡＣ基準値表」と呼ぶことがある。後述するように、ＬＡＮ１３の管理者は、作成されたＡＣ基準値表を修正することが可能である。しかし、これらのＡＣ基準値表が作成された直後は、管理者による修正は行われていない。このため、ＡＣ基準値はまず暫定的なものとして作成される（ステップＳ１０５）。
【００２８】
ＡＣ基準値表の作成手順を以下に説明する。図４は、エンド端末Ａ２２およびエンド端末Ｂ２３が優先セッションを保有している場合を示している。図４においては、縦軸は帯域の広さを示す。
【００２９】
各エンド端末の実効最大帯域を考慮しつつ許容する受付セッション数を決めるために、ＷＡＮ接続装置１は、アドミッションコントロールを行う際に、リンク別の許容合計帯域（ＡＣ基準値）を設定する。第１の実施形態においては、同一のリンク種別に含まれるエンド端末に優先セッションを保有するエンド端末が存在しない場合は、帯域が最小となったエンド端末に合わせて当該リンク種別のリンク別ＡＣ基準値が決定される。ただし、エンド端末間の帯域の最大値と最小値との差が、所定の許容値であるＭＡＸ−ＭＩＮ許容幅を越えている場合は、最小の帯域を持つエンド端末は、帯域保証の対象外とする。
【００３０】
一方、同一リンク種別に優先セッションを保有するエンド端末が含まれる場合は、ＭＡＸ−ＭＩＮ許容幅に関係なく、優先セッションを保有するエンド端末中の最小帯域に合わせてＡＣ基準値が決定される。この場合でも、優先セッションを保有せず、かつＭＡＸ−ＭＩＮ許容幅を下回る帯域を持つエンド端末は、帯域保証の対象外としてもよい。
【００３１】
図２及び図４を参照すると、有線接続（リンクａ）２９については、優先セッションを保有するエンド端末が含まれない。従って、ＷＡＮ接続装置１のリンク別ＡＣ基準値決定ユニットは、最小帯域となったエンド端末Ｅ２６の帯域をリンクａのＡＣ基準値とする。無線接続（リンクｂ）３０については、エンド端末Ａ２２およびエンド端末Ｂ２３が優先セッションを保有する（図中、（Ｐ）マークで示す。）。そして、エンド端末Ｃ２４の帯域は、ＭＡＸ−ＭＩＮ許容幅の下限よりも小さい。このため、エンド端末Ｃ２４は帯域保証の対象外となる。そして、リンク別ＡＣ基準値決定ユニットは、最小帯域となったエンド端末Ｂ２３の帯域をリンクｂのＡＣ基準値とする。
【００３２】
次に、装置ＡＣ基準値決定ユニットは、優先セッション指定ユニットから受信したセッション情報中から、各エンド端末が優先セッションのために要求する帯域の合計値を求める。そして、装置ＡＣ基準値決定ユニットは、予め設定されているＷＡＮ２７側のＡＣ基準値から、この要求帯域の合計値を減算してＷＡＮ側のＡＣ基準値を決定する（ステップＳ１０６）。こうして、暫定的な装置ＡＣ基準値表が作成される。
【００３３】
ＬＡＮ１３内の優先セッション指定ユニット２は、ＷＡＮ接続装置１から上で説明した暫定的なリンク別ＡＣ基準値表を受信する（ステップＳ１０７）。そして、ＬＡＮ１３の管理者は、暫定的な装置ＡＣ基準値表の値や帯域保証対象外となったエンド端末の情報等を確認し、必要に応じて再度、優先するセッションやアプリケーションが要求する帯域、ＩＰアドレス、ポート番号等の情報を作成する。そして、管理者は、作成した情報を優先セッション指定ユニット２からＷＡＮ接続装置１に送信する（ステップＳ１０８）。
【００３４】
ＷＡＮ接続装置１は、これらの優先するセッションの情報を受信し、受信した情報に基づいて再度リンク別ＡＣ基準値表および装置ＡＣ基準値表を作成する。その結果、最終的なリンク別ＡＣ基準値表および装置ＡＣ基準値表が作成される（ステップＳ１０９）。
【００３５】
各エンド端末は、ＷＡＮ接続装置１を経由して、通信装置４との間でセッション構築を行う。エンド端末がセッション構築を要求する際には、ＷＡＮ接続装置１は、エンド端末が送信したセッション構築要求を受信する（ステップＳ１１０）。
【００３６】
その際に、ＷＡＮ接続装置１は、以下のようにアドミッションコントロールを実行する。すなわち、ＷＡＮ接続装置は、セッションが構築されるリンクに対応して、装置ＡＣ基準値表の「リンクａ及びＷＡＮ」または「リンクｂ及びＷＡＮ」のいずれかの組み合わせのそれぞれの基準値から、セッションが要求する帯域の値を減算する。このとき、ＷＡＮ接続装置１は、ＷＡＮ  ＡＣ基準値がゼロか所定のマージン以下の値になるまで新規のセッション構築を受け付ける。しかし、それ以前にリンクａ  ＡＣ基準値またはリンクｂ  ＡＣ基準値がゼロか所定のマージン以下の値になると、ＷＡＮ接続装置１は、それ以上のセッション構築ができない旨の応答を、エンド端末に対し返信する（ステップＳ１１１）。
【００３７】
ＷＡＮ接続装置１は、エンド端末から要求されたセッション構築が可能な場合は、受信したセッション構築要求を通信装置４へ転送する（ステップＳ１１２）。そして、通信装置４は、セッション構築要求に対応するセッション構築応答を、ＷＡＮ接続装置４を経由してエンド端末に返信する（ステップＳ１１３）。
【００３８】
このようにして、最終的に、エンド端末Ａ２２〜エンド端末Ｅ２６と通信装置４との間でユーザデータ通信が開始される（ステップＳ１１４）。
【００３９】
以上説明したように、第１の実施形態の帯域割当システムは、ＷＡＮ接続装置とエンド端末の間のトポロジ情報に基づいて、リンク種別毎にＡＣ基準値を設定することができる。このため、リンク種別毎にきめ細かい帯域保証を実現できる。
【００４０】
また、第１の実施形態の帯域割当システムにおいては、ＬＡＮの管理者は、優先セッション指定ユニットを操作して、エンド端末ごとの帯域保証する通信アプリケーションやセッション数を、ユーザ要求に応じて設定することができる。
【００４１】
また、第１の実施形態の帯域割当システムにおいては、アドミッションコントロールの基準は、エンド端末毎に設定される優先セッションの情報、リンク種別あるいは帯域により定まり、予め固定的に定められていない。このため、事前に固定的な帯域を確保しておく方式に比べて、帯域制御ポリシーを柔軟に変更可能であり、通信帯域の効率的な利用が可能である。
【００４２】
さらに、第１の実施形態の帯域割当システムは、ＷＡＮ接続装置がエンド端末の帯域利用状況をリアルタイムに管理する必要がない。このため、ＷＡＮ接続装置が端末の状況をリアルタイムに管理する方式に比べ、低コストに帯域保証が実現できる。
［第２の実施形態］
続いて、本願発明の第２の実施形態の帯域割当システムについて説明する。第２の実施形態の帯域割当システムの基本的な構成は、第１の実施形態で説明した図１に示されたものと同一である。従って、第１の実施形態と同様の動作を行う部分についての説明は省略する。
【００４３】
図５は、第２の実施形態の帯域割当システムにおける、ＬＡＮ内の詳細な構成を示す図である。図５においては、全てのエンド端末Ａ２２〜Ｅ２６が、優先セッションを保有している点が第１の実施形態で説明した図２とは相違している。
【００４４】
図５におけるエンド端末Ａ２２〜Ｅ２６が、ＷＡＮ１２内の通信装置４との間でユーザデータ通信を開始する手順は、以下で説明するＡＣ基準値表の作成手順を除いて、第１の実施形態で説明した図２の手順と同様である。従って、エンド端末Ａ２２〜Ｅ２６が、ＷＡＮ１２内の通信装置４との間でユーザデータ通信を開始する手順の説明は省略する。
【００４５】
第２の実施形態における、ＡＣ基準値表の作成手順を以下に説明する。図６は、第２の実施形態における、リンク別ＡＣ基準値表及び装置ＡＣ基準値表について説明するための図である。図６は、全てのエンド端末が優先セッションを保有している場合を示している。図６においては、縦軸は帯域の広さを示す。
【００４６】
各エンド端末の実効最大帯域を考慮しつつ許容する受付セッション数を決めるために、ＷＡＮ接続装置１は、アドミッションコントロールを行う際に、リンク別の許容帯域（基準値）を設定する。第１の実施形態と同様に、同一のリンク種別の中に優先セッションを保有するエンド端末が含まれない場合は、帯域が最小となったエンド端末に合わせてＡＣ基準値が決定される。ただし、各エンド端末の最大帯域と最小帯域との差が所定の許容値であるＭＡＸ−ＭＩＮ許容幅を越えている場合は、帯域が最小となったエンド端末は、帯域保証の対象外とする。
【００４７】
そして、同一リンク種別に優先セッションを保有するエンド端末が含まれる場合は、ＭＡＸ−ＭＩＮ許容幅に関係なく、優先セッションを保有するエンド端末中の最小帯域に合わせてＡＣ基準値が決定される。
【００４８】
図６を参照すると、まず、有線接続（リンクａ）２９については、エンド端末Ｄ２５及びエンド端末Ｅ２６のいずれもが優先セッションを保有する。従って、リンク別ＡＣ基準値決定ユニットは、より帯域が小さいエンド端末Ｅ２６の値をリンクａのＡＣ基準値とする。
【００４９】
無線接続（リンクｂ）３０については、全エンド端末が優先セッションを保有する。従って、リンク別ＡＣ基準値決定ユニットは、ＭＡＸ−ＭＩＮ許容幅に関わらず、帯域が最小であるエンド端末Ｃ２４の帯域をリンクｂのＡＣ基準値とする。
【００５０】
次に、装置ＡＣ基準値決定ユニットは、予め設定されているＷＡＮ２７側のＡＣ基準値から、ＷＡＮ接続装置２１にて受信したセッション情報中の要求帯域の合計値を減算してＷＡＮ側のＡＣ基準値を決定する（ステップＳ１０６）。こうして、暫定的な装置ＡＣ基準値表が作成される。
【００５１】
なお、第２の実施形態において、図３に示した１０７〜１１３の各ステップの動作は、第１の実施形態と同様であるので、説明は省略する。
【００５２】
以上説明したように、第２の実施形態の帯域割当システムは、第１の実施形態と同様に、ＷＡＮ接続装置とエンド端末の間のトポロジ情報に基づいて、リンク種別毎にＡＣ基準値を設定することができる。このため、第２の実施形態の帯域割当システムも、リンク種別毎にきめ細かい帯域保証を実現できる。
【００５３】
また、第２の実施形態の帯域割当システムにおいては、ＬＡＮの管理者は、優先セッション指定ユニットを操作して、エンド端末ごとの帯域保証する通信アプリケーションやセッション数を、ユーザ要求に応じて変更することができる。
【００５４】
また、第２の実施形態の帯域割当システムにおいては、アドミッションコントロールの基準は、エンド端末毎に設定される優先セッションの情報、リンク種別あるいは帯域により定まり、予め固定的に定められていない。このため、事前に固定的な帯域を確保しておく方式に比べて、帯域制御ポリシーを柔軟に変更可能であり、通信帯域を効率的に利用することができる。
【００５５】
さらに、第２の実施形態の帯域割当システムは、ＷＡＮ接続装置がエンド端末の帯域利用状況をリアルタイムに管理する必要がない。このため、ＷＡＮ接続装置が端末の状況をリアルタイムに管理する方式に比べ、低コストに帯域保証が実現できる。
［第１及び第２の実施形態の変形例］
なお、第１及び第２の実施形態において、帯域制御が必要とされるユーザデータ通信の方向が片方向のみである場合には、双方向の帯域測定を行わず、必要とされる通信方向のみ帯域測定を行ってもよい。
【００５６】
また、通信装置４は、ＷＡＮ１２と接続された他のＬＡＮの内部に存在していてもよい。この場合は、ＷＡＮ１２と他のＬＡＮとの間に、以下で説明するＷＡＮ接続装置１と同様の機能を備えた他のＷＡＮ接続装置が配置される。そして、通信装置４は、エンド端末３同様の機能を備えて他のＬＡＮ内に配置される。
［第３の実施形態］
（構成の説明）
第３の実施形態は、本願発明の帯域割当システムをホームネットワークに適用したものである。ホームネットワークは、ブロードバンドルータ及び家庭内のエンド端末で構成されたネットワークである。
【００５７】
図７は、本願発明の帯域割当システムの第３の実施形態の構成を示す図である。図７に示す第３の実施形態の帯域割当システムは、第１の実施形態で説明した図１に記載された「ＷＡＮ接続装置」を「ブロードバンドルータ」に置き換えたものである。ブロードバンドルータは、屋外から引き込まれたＦＴＴＨ（ｆｉｂｅｒ  ｔｏ  ｔｈｅ  ｈｏｍｅ）回線などを含む家庭外のＷＡＮとホームネットワークを構成する家庭内ＬＡＮ回線とを接続する機能を備える。
【００５８】
図７において、通信装置４は、ＷＡＮ１２に配置され、エンド端末３との間でユーザデータ通信を行う。ブロードバンドルータ４１は、ＷＡＮ１２とホームネットワーク５０との境界に配置される。ＷＡＮ１２内においては、通信装置４とブロードバンドルータ４１との間の回線の帯域は保証されているものとする。
【００５９】
また、エンド端末３は、ホームネットワーク内に複数存在する。第３の実施形態においては、例えばパーソナルコンピュータやネットワーク接続機能を備えた家庭用ゲーム機器がエンド端末に相当する。
【００６０】
ブロードバンドルータ４１は、セッション管理ユニット５、装置ＡＣ基準値決定ユニット６、リンク別ＡＣ基準値決定ユニット７、帯域測定サーバ８及びトポロジ検出ユニット９を備える。また、ブロードバンドルータ４１は、ＣＰＵ９０及びメモリ９１を備えていてもよい。そして、ＣＰＵ９０は、ブロードバンドルータ４１の各部の機能を、メモリ９１に格納されたプログラムを実行することにより実現させてもよい。
【００６１】
ブロードバンドルータ４１が備えるこれらのユニットの機能は、第１の実施形態で説明したＷＡＮ接続装置１が備えるものと同様である。以下、第１及び第２の実施形態で説明したものと同一の要素に関しては同一の参照符号を付して、その詳細な説明は省略する。
【００６２】
優先セッション指定ユニット２及びエンド端末３は、ホームネットワーク５０内に配置される。優先セッション指定ユニット２は、エンド端末３を含むホームネットワーク５０内のいずれかの通信端末中に実装されていてもよい。優先セッション指定ユニット２は、ホームネットワーク５０の管理者により操作され、その機能が実行される。
【００６３】
エンド端末３は、帯域測定クライアント１０及びトポロジ検出ユニット１１を備える。帯域測定クライアント１０は、ブロードバンドルータ４１との間で帯域測定を行い、エンド端末３とブロードバンドルータ４１との間の実効最大帯域を算出する。トポロジ検出ユニット１１は、ブロードバンドルータ４１のトポロジ検出ユニット１１と通信を行い、エンド端末３とブロードバンドルータ４１との間のネットワークトポロジを、一般的に使用されるトポロジ検出プロトコルを用いて取得する。
（動作の説明）
次に、第３の実施形態の帯域割当システムの動作について説明する。
【００６４】
図８は、本願発明の第３の実施形態において、ホームネットワーク５０内の詳細な構成を含めて示す図である。図８におけるエンド端末Ａ４２〜エンド端末Ｅ４６は、図３のエンド端末Ａ２２〜エンド端末Ｅ２６に対応する。
【００６５】
エンド端末Ａ４２、エンド端末Ｂ４３及びエンド端末Ｃ４４は、無線ＬＡＮ  ＡＰ（ａｃｃｅｃｃ  ｐｏｉｎｔ）４８を用いて無線ＬＡＮで接続されている。そして、無線ＬＡＮ  ＡＰ４８は、ブロードバンドルータ４１と有線ＬＡＮ４９で接続されている。
【００６６】
また、エンド端末Ｄ４５及びエンド端末Ｅ４６は、有線ＬＡＮ４９でブロードバンドルータ４１と接続されている。以下では、これらの５台のエンド端末がＷＡＮ４７内の通信装置４との間でユーザデータ通信を開始する場合について説明する。
【００６７】
図９は、エンド端末Ａ４２〜エンド端末Ｅ４６が、ＷＡＮ１２内の通信装置４との間でユーザデータ通信を開始する手順を示す図である。エンド端末Ａ４２〜エンド端末Ｅ４６においては、各エンド端末は、起動された際に、ブロードバンドルータ４１との間でトポロジ検出プロトコルによる通信を行う。そして、エンド端末Ａ４２〜エンド端末Ｅ４６及びブロードバンドルータ４１は、相互に通信機器の接続構成を示すトポロジおよび使われているリンク種別の情報を取得する（ステップＳ２０１）。
【００６８】
また、各エンド端末は、ブロードバンドルータ４１との間で双方向の実効最大帯域を測定する（ステップＳ２０２）。実効最大帯域の測定は、各エンド端末の帯域測定クライアントとブロードバンドルータ４１の帯域測定サーバとの間における、パケットのラウンドトリップタイム測定によって行われる。エンド端末Ａ４２〜エンド端末Ｅ４６とブロードバンドルータ４１との間でトポロジ及び回線の実効最大帯域が求められる結果、ブロードバンドルータ４１は、全てのエンド端末との間のトポロジおよび帯域の情報を取得する（ステップＳ２０３）。
【００６９】
ここで、帯域測定の対象となるエンド端末のみを起動するとともに同一のリンクを使っている他のエンド端末を停止した状態で、帯域測定が行われてもよい。これにより、他のエンド端末の通信による影響が低減される結果、帯域測定の精度を高めることが可能である。さらに、帯域測定の対象となるエンド端末において、処理負荷の大きいアプリケーションを停止した状態で帯域測定を行うことで、帯域測定の精度をより高めるようにしてもよい。
【００７０】
ホームネットワーク５０の管理者は、ホームネットワーク５０内にある優先セッション指定ユニット２を操作して、ブロードバンドルータ４１が取得した実効最大帯域集計情報を受信する。優先セッション指定ユニット２は、エンド端末Ａ４２〜Ｅ４６のいずれかに備えられていてもよい。そして、ホームネットワーク５０の管理者は、事前に各エンド端末のユーザにヒアリングした利用用途を考慮した上で、それぞれの端末が通信する際に優先されるセッションあるいは優先されるアプリケーションに対応する要求帯域、ＩＰアドレス、ポート番号等の情報を決定し、決定した情報を優先セッション指定ユニット２からブロードバンドルータ４１へ送信する（ステップＳ２０４）。
【００７１】
そして、ブロードバンドルータ４１は、まずリンク別ＡＣ基準値表を作成し、次にリンク別ＡＣ基準値表に基づいて装置ＡＣ基準値表を作成する。ここで、ブロードバンドルータ４１がリンク別ＡＣ基準値表および装置ＡＣ基準値表を作成する手順は、第１の実施形態において図４を用いて説明した手順と同様であるので、説明は省略する。
【００７２】
作成されたＡＣ基準値表は、ホームネットワーク５０の管理者が修正することが可能である。しかし、これらのＡＣ基準値表が作成された直後は、管理者による修正は行われていない。このため、ＡＣ基準値はまず暫定的なものとして作成される（ステップＳ２０５）。
【００７３】
次に、予め設定されているＷＡＮ２７側のＡＣ基準値から、ブロードバンドルータ４１にて受信したセッション情報中の要求帯域の合計値が減算されて、ＷＡＮ側のＡＣ基準値が決定される（ステップＳ２０６）。こうして、暫定的な装置ＡＣ基準値表が作成される。
【００７４】
ＬＡＮ１３内の優先セッション指定ユニット２は、ブロードバンドルータ４１から、上で説明した暫定的なリンク別ＡＣ基準値表を受信する（ステップＳ２０７）。そして、ホームネットワーク５０の管理者は、暫定的な装置ＡＣ基準値表の帯域保証対象外となったエンド端末の情報等を確認し、必要に応じて再度、優先するセッションやアプリケーションが要求する帯域、ＩＰアドレス、ポート番号等の情報を作成する。そして、管理者は、作成した情報を優先セッション指定ユニット２からブロードバンドルータ４１に送信する（ステップＳ２０８）。
【００７５】
ブロードバンドルータ４１は、これらの優先するセッションの情報を受信し、受信した情報に基づいて最終的なリンク別ＡＣ基準値表および装置ＡＣ基準値表を作成する（ステップＳ２０９）。
【００７６】
各エンド端末は、ブロードバンドルータ４１を経由して、ＷＡＮ２７内の通信装置４との間でセッション構築を行う。エンド端末がセッション構築を要求する際には、ブロードバンドルータ４１は、エンド端末が送信したセッション構築要求を受信する（ステップＳ２１０）。
【００７７】
その際に、ＷＡＮ接続装置１は、以下のようにアドミッションコントロールを実行する。すなわち、ブロードバンドルータ４１は、セッションが構築されるリンクに対応して、「リンクａ及びＷＡＮ」または「リンクｂ及びＷＡＮ」のいずれかの組み合わせのそれぞれの基準値から、セッションが要求する帯域の値を減算する。このとき、ブロードバンドルータ４１は、ＷＡＮ  ＡＣ基準値がゼロか所定のマージン以下の値になるまで新規のセッション構築を受け付ける。しかし、それ以前にリンクａのＡＣ基準値またはリンクｂのＡＣ基準値がゼロか所定のマージン以下の値になると、ブロードバンドルータ４１は、それ以上のセッション構築ができない旨の応答を、各エンド端末に対し返信する（ステップＳ２１１）。
【００７８】
ブロードバンドルータ４１は、エンド端末から要求されたセッション構築が可能な場合は、受信したセッション構築要求を通信装置４へ転送する（Ｓ２１２）。そして、通信装置４は、セッション構築要求に対応するセッション構築応答を、ブロードバンドルータ４１を経由してエンド端末に返信する（ステップＳ２１３）。
【００７９】
このようにして、最終的に、エンド端末Ａ４２〜エンド端末Ｅ４６と通信装置４との間でユーザデータ通信が開始される（ステップＳ２１４）。
【００８０】
以上説明したように、第３の実施形態では、ブロードバンドルータとエンド端末の間のトポロジ情報に基づいて、リンク種別毎にＡＣ基準値を設定している。このため、第３の実施形態の帯域割当システムは、リンク種別毎にきめ細かい帯域保証を実現できる。
【００８１】
また、エンド端末ごとの帯域保証する通信アプリケーションやセッション数を、ユーザ要求に応じて変更することができる。
【００８２】
そして、第３の実施形態の帯域割当システムにおいては、アドミッションコントロールの基準は、エンド端末毎に設定される優先セッションの情報、リンク種別あるいは帯域により定まり、予め固定的に定められていない。このため、事前に帯域を確保しておく方式に比べて、帯域制御ポリシーを柔軟に変更可能であり、通信帯域を効率的に利用することができる。
【００８３】
さらに、第３の実施形態の帯域割当システムは、ブロードバンドルータがエンド端末の帯域利用状況をリアルタイムに管理する必要がない。このため、ブロードバンドルータが端末の状況をリアルタイムに管理する方式に比べ、低コストに帯域保証が実現できる。
【００８４】
第３の実施形態では、本願発明をブロードバンドルータ及びエンド端末を備えるホームネットワークに適用した例について説明した。ホームネットワークにおいては、家族がそれぞれ所有するエンド端末を自由にホームネットワークに接続してネットワークを使用する場合がある。すなわち、ホームネットワークでは、エンド端末毎にユーザが異なっている場合がある。あるいは、複数のユーザが１台のエンド端末を利用する場合もある。しかし、エンド端末を複数のユーザが利用する場合でも、ホームネットワークにおいては、各ユーザは同じ家族の一員であることが多い。従って、ホームネットワークの管理者は、ユーザのネットワークの利用形態を容易に知ることができる。すなわち、ホームネットワークの管理者は、ホームネットワーク内において利用頻度の高いエンド端末やエンド端末の組み合わせを容易に把握できる。従って、ホームネットワークの管理者は、本願発明をホームネットワークに適用することにより、ホームネットワークの帯域の利用効率をより容易に高めることができる。
［第４の実施形態］
続いて、本願発明の第４の実施形態の帯域割当システムについて説明する。図１０は、第４の実施形態において、ホームネットワーク５０内の詳細な構成を示す図である。第４の実施形態の帯域割当システムの基本的な構成は、第３の実施形態と同一である。以下の説明では、第３の実施形態と同様の動作を行う部分についての説明は省略する。ただし、図１０に示すように、全てのエンド端末Ａ４２〜エンド端末Ｅ４６が、優先セッションを保有している点が第３の実施形態とは相違している。
【００８５】
図１０におけるエンド端末Ａ４２〜エンド端末Ｅ４６が、ＷＡＮ１２内の通信装置４との間でユーザデータ通信を開始する手順は、第３の実施形態で説明した図７の手順と同様である。
【００８６】
なお、第４の実施形態においては、第２の実施形態と同様に、全てのエンド端末Ａ４２〜エンド端末Ｅ４６が、優先セッションを保有している。従って、図９の２０５において、暫定的なリンク別ＡＣ基準値及び装置ＡＣ基準値表は、以下のように、第２の実施形態と同様の手順で決定される。
【００８７】
図６を参照すると、まず、有線ＬＡＮ接続（リンクａ）４９については、エンド端末Ｄ４５及びエンド端末Ｅ４６のいずれもが優先セッションを保有する。従って、リンク別ＡＣ基準値決定ユニットは、より帯域が小さいエンド端末Ｅ４６の値をリンクａのＡＣ基準値とする。
【００８８】
無線ＬＡＮ接続（リンクｂ）５１についても、エンド端末Ａ４２〜エンド端末Ｃ４４の全てが優先セッションを保有する。従って、リンク別ＡＣ基準値決定ユニットは、ＭＡＸ−ＭＩＮ許容幅に関わらず、帯域が最小であるエンド端末Ｃ２４の帯域をリンクｂのＡＣ基準値とする。
【００８９】
暫定的なリンク別ＡＣ基準値及び装置ＡＣ基準値表を決定した後、ユーザデータ通信を開始するまでの手順は、第３の実施形態と同様である。
【００９０】
第４の実施形態においても、ブロードバンドルータとエンド端末の間のトポロジ情報に基づいて、リンク種別毎にＡＣ基準値が設定されている。このため、第４の実施形態の帯域割当システムは、リンク種別毎にきめ細かい帯域保証を実現できる。
【００９１】
また、エンド端末ごとの帯域保証する通信アプリケーションやセッション数を、ユーザ要求に応じて変更することができる。
【００９２】
そして、第４の実施形態の帯域割当システムにおいては、アドミッションコントロールの基準は、エンド端末毎に設定される優先セッションの情報、リンク種別あるいは帯域により定まり、予め固定的に定められていない。このため、事前に帯域を確保しておく方式に比べて、帯域制御ポリシーを柔軟に変更可能であり、通信帯域を効率的に利用することができる。
【００９３】
さらに、第４の実施形態の帯域割当システムにおいては、ブロードバンドルータがエンド端末の帯域利用状況をリアルタイムに管理する必要がない。このため、ブロードバンドルータが端末の状況をリアルタイムに管理する方式に比べ、低コストに帯域保証が実現できる。
［第３及び第４の実施形態の変形例］
なお、第１及び第２の実施形態と同様に、第３及び第４の実施形態においても、帯域制御が必要とされるユーザデータ通信の方向が片方向のみである場合には、双方向の帯域測定を行わず必要とされる通信方向のみ帯域測定を行ってもよい。
【００９４】
また、通信装置４は、ＷＡＮ１２と接続された他のＬＡＮの内部に存在していてもよい。この場合は、ＷＡＮ１２と他のＬＡＮとの間に、ブロードバンドルータ４１と同様の機能を備えた他のブロードバンドルータが配置される。そして、通信装置４は、エンド端末３同様の機能を備えて他のＬＡＮ内に配置される。
［第５の実施形態］
図１１は、本願発明の第５の実施形態である、帯域割当装置の構成を示す図である。第５の実施形態では、第１及び第２の実施形態で説明した帯域割当システムにおけるＷＡＮ接続装置の最小構成である、帯域割当装置について説明する。
【００９５】
図１１において、帯域割当装置５００は、自装置と接続されるエンド端末と自装置との間の回線に帯域を割り当てる機能を備えた帯域割当装置である。帯域割当装置５００は、基準値決定ユニット５０１を備えている。また、帯域割当装置５００は、回線５０２によって、図示されないエンド端末と接続されている。
【００９６】
基準値決定ユニット５０１は、エンド端末と自装置との間のリンク種別の情報を含むネットワークトポロジ情報、及び、エンド端末と自装置との間の帯域情報に基づいて、リンク種別毎に、割当可能な帯域を示す基準値を決定する。
【００９７】
すなわち、基準値決定ユニット５０１は、エンド端末と帯域割当装置５００との間のリンク種別毎に、リンク別に帯域の基準値を決定する。この基準値は、エンド端末と帯域割当装置５００との間のリンク種別の情報を含むトポロジ情報、及び、エンド端末と帯域割当装置５００との間の帯域情報に基づいて設定される、割当可能な帯域の上限を示す基準値である。ここで、エンド端末と帯域割当装置５００との間の帯域情報は、最新の値を使用しなくともよい。たとえば、エンド端末が起動した際に帯域割当装置５００との間の帯域情報を測定し、その値を基準値の決定に用いてもよい。
【００９８】
このような構成を備えることにより、帯域割当装置５００は、帯域割当装置５００とエンド端末の間のトポロジ情報及び帯域情報に基づいて、割当可能な帯域の上限を示す基準値を設定する。
【００９９】
帯域割当装置５００は、エンド端末と自端末との間の帯域を、リンク種別毎に設定された基準値の範囲内で設定することができる。従って、帯域割当装置５００は、エンド端末との間の帯域割当を、エンド端末との間のリンク種別毎にきめ細かく実現できる。
【０１００】
また、帯域割当装置５００においては、帯域割当の基準は、リンク種別あるいは帯域により定まり、予め固定的に定められていない。このため、事前に固定的な帯域を確保しておく方式に比べて、帯域割当のポリシーを柔軟に変更可能であり、通信帯域の効率的な利用が可能である。
【０１０１】
さらに、帯域割当装置５００は、エンド端末の帯域利用状況をリアルタイムに管理する必要がない。このため、帯域割当装置５００が端末の状況をリアルタイムに管理する場合と比べ、低コストに帯域保証が実現できる。
【０１０２】
なお、上記の実施形態の一部又は全部は、以下の付記のようにも記載されうるが、以下には限られない。
【０１０３】
（付記１）
自装置と接続されるエンド端末と自装置との間のリンク種別の情報を含むネットワークトポロジ情報、及び、前記エンド端末と自装置との間の帯域情報に基づいて、前記リンク種別毎に、割当可能な帯域を示す第１の基準値を決定する第１の基準値決定ユニットを備える帯域割当装置。
【０１０４】
（付記２）
前記第１の基準値決定ユニットは、前記エンド端末毎に設定される優先セッション情報が入力され前記入力された前記優先セッション情報を前記第１の基準値決定ユニットに通知する優先セッション指定ユニットから通知された前記優先セッション情報に基づいて、前記第１の基準値を決定する、付記１に記載された帯域割当装置。
【０１０５】
（付記３）
前記第１の基準値決定ユニットは、同一の前記リンク種別に含まれる前記エンド端末に前記優先セッションが設定されたエンド端末が存在せず、かつ、前記同一のリンク種別に含まれる前記エンド端末間の帯域の最大値と最小値との差が所定の許容幅の範囲内にある場合は、前記帯域情報が最小となったエンド端末の前記帯域情報を前記リンク種別における前記第１の基準値とする、付記１又は２に記載された帯域割当装置。
【０１０６】
（付記４）
前記第１の基準値決定ユニットは、同一の前記リンク種別に含まれる前記エンド端末に前記優先セッションが設定されたエンド端末が存在せず、かつ、同一の前記リンク種別に含まれる前記エンド端末間の帯域の最大値と最小値との差が所定の許容幅を越えている場合は、前記帯域情報が最小となったエンド端末以外のエンド端末の前記帯域情報を前記リンク種別における前記第１の基準値とする、付記１又は２に記載された帯域割当装置。
【０１０７】
（付記５）
前記第１の基準値決定ユニットは、同一の前記リンク種別に含まれる前記エンド端末に前記優先セッションが設定されたエンド端末が存在する場合は、前記優先セッションが設定されたエンド端末のうち前記帯域情報が最小となったエンド端末の前記帯域情報を前記リンク種別における前記第１の基準値とする、付記１又は２に記載された帯域割当装置。
【０１０８】
（付記６）
前記エンド端末が接続される通信装置が属するネットワークとの間で設定されている所定の帯域から、前記エンド端末毎に設定される優先セッションで必要とされる帯域を減算して、自装置と前記ネットワークとの間における割当可能な帯域を示す第２の基準値を決定する第２の基準値決定ユニットをさらに備える、付記１乃至５のいずれかに記載された帯域割当装置。
【０１０９】
（付記７）
前記第２の基準値決定ユニットは、前記セッションが構築される際に、前記構築されるセッションが利用する前記リンク種別に対応する前記第１の基準値及び前記第２の基準値から、前記セッションが要求する帯域の値をそれぞれ減算し、前記第１の基準値又は前記第２の基準値のいずれかがゼロか所定の値以下の値とならない限り前記セッションの構築を受け付ける、付記６に記載された帯域割当装置。
【０１１０】
（付記８）
さらに、ネットワークトポロジを取得するためのプロトコルにより前記ネットワークトポロジ情報を取得するトポロジ検出ユニットを備える、付記１乃至７のいずれかに記載された帯域割当装置。
【０１１１】
（付記９）
さらに、前記エンド端末が備える帯域測定クライアントとの間で帯域測定を行い、前記エンド端末と自装置との間の帯域情報を求める帯域測定サーバを備える、付記１乃至８のいずれかに記載された帯域割当装置。
【０１１２】
（付記１０）
付記６又は７に記載された帯域割当装置と、通信装置と、帯域測定クライアント及びトポロジ検出ユニットを備えるエンド端末と、優先セッション情報が入力され、入力された前記優先セッション情報を前記帯域割当装置に通知する優先セッション指定ユニットと、を備え、前記エンド端末及び前記優先セッション指定ユニットは、前記帯域割当装置に接続され、前記エンド端末は、前記帯域割当装置を経由して前記通信装置との間でセッションを構築する、帯域割当システム。
【０１１３】
（付記１１）
自装置と接続されるエンド端末と自装置との間のリンク種別の情報を含むネットワークトポロジ情報、及び、前記エンド端末と自装置との間の帯域情報に基づいて、前記リンク種別毎に、割当可能な帯域を示す第１の基準値を決定する、帯域割当方法。
【０１１４】
（付記１２）
帯域割当装置のコンピュータを、自装置と接続されるエンド端末と自装置との間のリンク種別の情報を含むネットワークトポロジ情報、及び、前記エンド端末と自装置との間の帯域情報に基づいて、前記リンク種別毎に、割当可能な帯域を示す第１の基準値を決定する手段として機能させる、帯域割当装置のプログラム。
【符号の説明】
【０１１５】
１  ＷＡＮ接続装置
２  優先セッション指定ユニット
３  エンド端末
４  通信装置
５  セッション管理ユニット
６  装置ＡＣ基準値決定ユニット
７  リンク別ＡＣ基準値決定ユニット
８  帯域測定サーバ
９、１１  トポロジ検出ユニット
１０  帯域測定クライアント
１２  ＷＡＮ
１３  ＬＡＮ
９０  ＣＰＵ
９１  メモリ
２２、４２  エンド端末Ａ
２３、４３  エンド端末Ｂ
２４、４４  エンド端末Ｃ
２５、４５  エンド端末Ｄ
２６、４６  エンド端末Ｅ
２８  無線基地局
２９  有線接続
３０  無線接続
４１  ブロードバンドルータ
４８  無線ＬＡＮ  ＡＰ
４９  有線ＬＡＮ
５０  ホームネットワーク
５１  無線ＬＡＮ接続
５００  帯域割当装置
５０１  基準値決定ユニット
５０２  回線
【図１】
2012028866.tif 000003
【図２】
2012028866.tif 000004
【図３】
2012028866.tif 000005
【図４】
2012028866.tif 000006
【図５】
2012028866.tif 000007
【図６】
2012028866.tif 000008
【図７】
2012028866.tif 000009
【図８】
2012028866.tif 000010
【図９】
2012028866.tif 000011
【図１０】
2012028866.tif 000012
【図１１】
2012028866.tif 000013